(57)【特許請求の範囲】
【請求項１】
水受槽を内部に収納した外箱の上端部にトップカバーを設け、このトップカバーにドレーンホースの差込筒部を設けると共に該差込筒部の下端を前記水受槽の上方に配置した水受ケース上に位置させ、前記差込筒部を介して導入されたドレン水を前記水受ケースに形成された第１の排水口に流出させて排出する洗濯機において、前記水受ケースの上方に前記第１の排水口とは別に第２の排水口を有しかつ前記差込筒部が連通するドレン溢水路を設け、間隙の閉塞時に前記差込筒部を介して前記ドレン水を前記ドレン溢水路に溢水させ前記第２の排水口から排出するようにしたことを特徴とする洗濯機。
【請求項２】
差込筒部に切欠きを形成すると共に該切欠きと第２の排水口を接続するように壁リブを立設してドレン溢水路を形成し、前記差込筒部を介して溢水した前記ドレン水を前記ドレン溢水路を流下させ第２の排水口から排出するようにしたことを特徴とする請求項１記載の洗濯機。
【請求項３】
第２の排水口が、差込筒部に対し離間して設けてあることを特徴とする請求項２記載の洗濯機。
【請求項４】
ドレン溢水路中に、ドレン水の流下方向に直交する壁リブより低い複数の中仕切リブを備えていることを特徴とする請求項２記載の洗濯機。
【請求項５】
第２の排水口と差込筒部との両者を囲う壁リブを立設してドレン溢水路を形成し、前記差込筒部を介して溢水したドレン水を前記ドレン溢水路を流下させ前記第２の排水口から排出するようにしたことを特徴とする請求項１記載の洗濯機。
【請求項６】
壁リブが、差込筒部よりも高く立設したものであることを特徴とする請求項５記載の洗濯機。
【請求項７】
ドレン溢水路を差込筒部の筒壁に連通するよう片端が接続されたホースにより形成し、前記ホースの他端側の第２の排水口からドレン水を排出するようにしたことを特徴とする請求項１記載の洗濯機。
【発明の詳細な説明】
【０００１】
【発明の属する技術分野】
本発明は、外箱上に設けたトップカバー部分にホース差込口を備えた洗濯機に関する。
【０００２】
【従来の技術】
従来、洗濯機の上方に衣類乾燥機を配置すると共に衣類乾燥機のドレンホースの先端を洗濯機に接続し、衣類乾燥機での洗濯物の乾燥の際に生じたドレン水を洗濯機の排水経路を利用して排出するようにしたものがある。この衣類乾燥機のドレンホースが接続される洗濯機は、外箱上端に設けたトップカバーがホース差込口に内方に延出する差込筒部を備え、また差込筒部の下端が、外箱内に収納された水受槽の上方に排水口を設けるようにした水受ケースの貯水部内に位置する構成となっている。
【０００３】
このため、衣類乾燥機のドレンホースを洗濯機のホース差込口に差し込むことにより衣類乾燥機で生じたドレン水はドレンホースを介して洗濯機に送り込まれる。そして、ホース差込口から導入されたドレン水は水受ケースの貯水部に一時止められ、さらにドレン水が流れ込むことで貯水部の水位が上がると、貯水部を区画形成する側壁と差込筒部との間の間隙を通過し、貯水部の側壁から溢れ出て水受ケース内を流れ、排水口から水受槽に流れて排出される。
【０００４】
しかしながら上記の従来技術においては、貯水部の側壁と差込筒部との間などの間隙に異物、例えば衣類乾燥機からドレン水と共に貯水部に送り込まれたリント等が詰まり、ドレン水が貯水部から溢れ出ないで水受槽に排出されないと、そのままドレン水の水位が上がってホース差込口から溢れ出てトップカバー内等への浸水や床を濡らしてしまう虞がある。
【０００５】
【発明が解決しようとする課題】
上記のような状況に鑑みて本発明はなされたもので、ホース差込口から導入されたドレン水を排水経路から溢れ出させることなく排出することができ、トップカバー内等への浸水や床を濡らしたりすることのない洗濯機を提供することを目的とする。
【０００６】
【課題を解決するための手段】
本発明の洗濯機は、水受槽を内部に収納した外箱の上端部にトップカバーを設け、このトップカバーにドレーンホースの差込筒部を設けると共に該差込筒部の下端を水受槽の上方に配置した水受ケース上に位置させ、差込筒部を介して導入されたドレン水を水受ケースに形成された第１の排水口に流出させて排出する洗濯機において、水受ケースの上方に第１の排水口とは別に第２の排水口を有しかつ差込筒部が連通するドレン溢水路を設け、間隙の閉塞時に差込筒部を介してドレン水をドレン溢水路に溢水させ第２の排水口から排出するようにしたことを特徴とするものであり、
さらに、差込筒部に切欠きを形成すると共に該切欠きと第２の排水口を接続するように壁リブを立設してドレン溢水路を形成し、差込筒部を介して溢水したドレン水をドレン溢水路を流下させ第２の排水口から排出するようにしたことを特徴とするものであり、
さらに、第２の排水口が、差込筒部に対し離間して設けてあることを特徴とするものであり、
さらに、ドレン溢水路中に、ドレン水の流下方向に直交する壁リブより低い複数の中仕切リブを備えていることを特徴とするものであり、
さらに、第２の排水口と差込筒部との両者を囲う壁リブを立設してドレン溢水路を形成し、差込筒部を介して溢水したドレン水をドレン溢水路を流下させ第２の排水口から排出するようにしたことをものであり、
さらに、壁リブが、差込筒部よりも高く立設したものであることを特徴とするものであり、
さらに、ドレン溢水路を差込筒部の筒壁に連通するよう片端が接続されたホースにより形成し、ホースの他端側の第２の排水口からドレン水を排出するようにしたことを特徴とするものである。
【０００７】
【発明の実施の形態】
以下、本発明の実施の形態を図面を参照して説明する。
【０００８】
先ず、第１の実施形態を図１乃至図６により説明する。図１は斜視図であり、図２は上面図であり、図３は蓋及び後カバーを外した状態の上面図であり、図４は図２におけるＡ−Ａ矢方向視の要部の縦断面図であり、図５は図４におけるＢ−Ｂ矢方向視の部分横断面図であり、図６は変形形態の要部の斜視図である。
【０００９】
図１乃至図５において、１は洗濯機であり、これは外箱２の上端部に洗濯物出入口３を有するトップカバー４が設けられており、下端部には底部４隅部に脚部５が設けられている。そしてトップカバー４には、前部に洗濯行程を制御するコントロール部６が設けられていると共に、中間部に洗濯物出入口３を開閉する外蓋７が取り付けられており、さらに後部に注水ケース８や給水弁９が接続された給水ホース口１０とホース差込部１１が設けられている。また、１２はトップカバー４の前部を覆うコントロールパネルであり、１３は後部を覆う後カバーである。
【００１０】
そして外箱２の内部には、図示しない弾性吊持機構によって水受槽１４が弾性吊持されており、上端部には洗濯物出入口３に対応して槽カバー１５が固着されている。また水受槽１４内には周壁に多数の図示しない脱水孔が穿設された洗濯兼脱水槽１６が回転可能に収納されていて、上端部にバランスリング１７が固着されており、内底部に図示しない撹拌体が配設されている。一方、水受槽１４の外底部には図示しないがモータと、このモータの回転力を洗濯兼脱水槽１６及び撹拌体に伝達する機構部が配設され、さらに排水弁及び排水ホース等が配設されている。
【００１１】
また、ホース差込部１１は、例えば図示しない衣類乾燥機のドレンホース１８を差し込むことによってドレン水を洗濯機１の排水ホース等を介して排出するよう設けたもので、トップカバー４の後部に一体に成形されたドレン溢水ケース部１９と、このドレン溢水ケース部１９の下方に対応するようトップカバー４に取着された水受ケース２０とを備えてなり、さらにキャップ２１を脱着することにより開閉されるホース差込口２２を上面に開口させるようにして内方に延出するホースガイド筒部２３を後カバー１３に備えている。
【００１２】
水受ケース２０は細長い偏平形状をしており、トップカバー４に設けられた係合部２４に係止爪２５を係合させることによって取着されている。そして、水受ケース２０はその底部の片端側に第１の排水口２６が水受槽１４に臨むように形成されており、また第１の排水口２６から離れた他端側に外壁２７より高さの低い内壁２８を設けて仕切られた貯水部２９が形成されていて、内壁２８から溢れ出るまでドレン水を一時止めておくことができるようになってる。
【００１３】
一方、ドレン溢水ケース部１９は底面部３０に第２の排水口３１が形成されていると共に、この第２の排水口３１を囲むように壁リブ３２が立設されている。また底面部３０には第２の排水口３１から離れた位置にホース差込筒部３３が、段状に形成された差込開口部分３４を内部中間部分に設けるようにして上下方向に延出するように設けられている。このホース差込筒部３３は差込開口部分３４よりも上方側の上側筒３５と、この上側筒３５より小径であると共に同軸中心の下側筒３６とでなり、上側筒３５にはホースガイド筒部２３が遊嵌されている。そして、下側筒３６は下端部３７が水受ケース２０の貯水部２９内に位置していて、下側筒３６の下端部３７と貯水部２９を形成する外壁２７及び内壁２８との間には所定寸法の間隙３８が形成されている。また、上側筒３５には筒壁に上端から底面部３０までの切欠き３９が形成されており、さらに切欠き３９と第２の排水口３１との間には、第２の排水口３１を囲む壁リブ３２を切欠き３９の縁部分の筒壁に固着することによってドレン溢水路４０が形成されている。
【００１４】
このように構成されたものでは、衣類乾燥機のドレンホース１８の先端部分をホース差込口２２から差し入れ、ホース差込筒部３３の下側筒３６の下端部３７近傍にまでに差し込みドレン水の導入を行うと、当初、ドレン水は貯水部２９に溜まる。その後貯水部２９の水位が上昇して内壁２８の高さになると、下側筒３６の下端部３７と内壁２８との間の間隙３８を通り内壁２８を越えて溢れ出し、水受ケース２０内を流下して第１の排水口２６に至り、さらに第１の排水口２６から水受槽１４に流れて洗濯機１の排水ホースを介して外部に排出される。なお、ドレン水は一旦貯水部２９に止まってから排出されるために、温度が高い状態あるいは蒸気と共に導入され場合においても止まっている間に冷やされることになり、冷却されずないまま排出が行われた際に蒸気によって生じる悪影響を防止することができる。また第２の排水口３１とホース差込筒部３３とをそれぞれ離れた位置に設けられるよう形成したことにより、蒸気がホース差込筒部３３から第２の排水口３１に流れ、トップカバー４内に設けられた電装部等に到達する機会を少ないものとすることができ、蒸気が電装部等の近傍に流れることにより生じる悪影響を防止することができる。
【００１５】
また、衣類乾燥機からドレン水と共に貯水部２９にリント等の異物が送り込まれ、この異物がホース差込筒部３３の下側筒３６の下端部３７と貯水部２９の外壁２７や内壁２８の周壁との間の間隙３８に詰まり、間隙３８が閉塞された状態になると、ドレン水は貯水部２９から内壁２８を越えて溢れ出なくなる。そして、さらにドレン水がドレンホース１８を通じて導入されると、貯水部２９内に下端部３７が位置する下側筒３６内にも溜まりはじめて下側筒３６内の水位が上昇する。下側筒３６内の水位がドレン溢水ケース部１９の底面部３０、すなわち切欠き３９の下端にまで上昇すると、その後はドレン溢水ケース部１９の壁リブ３２で囲まれ切欠き３９と第２の排水口３１の間に形成されたドレン溢水路４０を流れ、第２の排水口３１から下方の水受ケース２０に流れ落ちる。流れ落ちたドレン水は、さらに第１の排水口２６に至り、水受槽１４に流れて洗濯機１の排水ホースを介して外部に排出される。これにより、ホース差込筒部３３の下側筒３６と貯水部２９の外壁２７や内壁２８など、水受ケース２０の壁面との間の間隙３８が詰まってしまいドレン水が第１の排水口２６から排出できなくなっても、第２の排水口３１を経由させることによって排出することができる。
【００１６】
また、上記の実施形態は、ドレン溢水ケース部１９がドレン溢水路４０を溢水したドレン水がそのまま第２の排水口３１に流下する構成となっているが、図６に示す変形形態のように構成してもよい。すなわち、ドレン溢水ケース部４１はホース差込筒部３３の上側筒３５に形成された切欠き３９と第２の排水口３１との間に設けられたドレン溢水路４２中に、ドレン水の流下方向に直交する３つの中仕切リブ４３が立設されている。これらの中仕切リブ４３は壁リブ３２よりも高さが低く、互いの間に所定の間隔を有するように設けられたもので、流下するドレン水が中仕切リブ４３によって一旦塞止められるようなっている。
【００１７】
このように構成されたものでは、衣類乾燥機からのリント等の異物により下側筒３６と貯水部２９の周壁との間隙３８が閉塞されてしまい、ドレン水が貯水部２９から内壁２８を越えて溢れ出ず第１の排水口２６から排出されない状態になると、ホース差込筒部３３の切欠き３９からドレン溢水路４２中に流れ出たドレン水は各中仕切リブ４３によって一旦塞き止められるようにして第２の排水口３１に流下する。このように各中仕切リブ４３で塞き止められるため、ドレン水と共に衣類乾燥機から送り出されたリント等は各中仕切リブ４３部分で捕捉することができ、下流におけるリント等による詰まりを減少させることができる。
【００１８】
次に、第２の実施形態を図７に示す要部の縦断面図により説明する。本実施形態は上記の第１の実施形態とドレン溢水ケース部の構成が異なるのみであり、第１の実施形態と同一の部分には同一符号を付して説明を省略し、異なる本実施形態の構成について説明する。
【００１９】
図７において、５１はホース差込部で、トップカバー５２の後部に一体成形によって設けられたドレン溢水ケース部５３と、このドレン溢水ケース部５３の下方に対応するようトップカバー５２に取着された水受ケース２０とを備えて構成される。ドレン溢水ケース部５３は底面部３０に第２の排水口３１が形成されており、また、この第２の排水口３１から離れた位置にホース差込筒部５４が上下方向に延出するように設けられている。このホース差込筒部５４は、内部中間部分に段状に形成された差込開口部分３４が形成されていて、この差込開口部分３４よりも上方側の上側筒５５と、下方側の上側筒５５より小径であると共に同軸中心の下側筒３６とによりなり、上側筒５５にはホースガイド筒部２３が遊嵌されている。
【００２０】
また、ドレン溢水ケース部５３には第２の排水口３１を囲むと共に上側筒５５を所定距離を設けて囲むように壁リブ５６が立設されている。この壁リブ５６は高さが上側筒５５の高さよりも高く、壁リブ５６を立設することによって内方側に上側筒５５の外周部分から第２の排水口３１へのドレン溢水路５７が形成される。一方、下側筒３６は下端部３７が水受ケース２０の貯水部２９内に位置していて、下側筒３６の下端部３７と貯水部２９を形成する外壁２７及び内壁２８との間には所定寸法の間隙３８が形成されている。
【００２１】
このように構成されたものでは、上記の第１の実施形態と同様に、衣類乾燥機のドレンホース１８の先端部分をホース差込口２２から差し入れ、ホース差込筒部４４の下側筒３６の下端部３７近傍にまでに差し込みドレン水の導入を行うと、ドレン水は貯水部２９に溜まり、水受ケース２０内を流下して第１の排水口２６から外部に排出される。また、リント等の異物により下側筒３６と貯水部２９の周壁との間隙３８が閉塞されてしまい、ドレン水が貯水部２９から内壁２８を越えて溢れ出ず第１の排水口２６から排出されない状態になると、ドレンホース１８を通じて導入されたドレン水によってホース差込筒部５４内の水位が上昇する。その後、水位が上側筒５５の上端にまで至るとドレン水は溢れ出し、ドレン溢水路５７を流れ第２の排水口３１から下方の水受ケース２０に流れ落ちて外部に排出される。その結果、本実施形態においても第１の実施形態と同様の作用、効果を得ることができる。
【００２２】
次に、第３の実施形態を図８に示す要部の斜視図により説明する。本実施形態は上記の第１の実施形態とドレン溢水ケース部の構成が異なるのみであり、第１の実施形態と同一の部分には同一符号を付して説明を省略し、異なる本実施形態の構成について説明する。
【００２３】
図８において、６１はホース差込部で、図示しないトップカバーの後部に一体成形によって設けられたドレン溢水ケース部６２と、このドレン溢水ケース部６２の下方に対応するようトップカバーに取着された水受ケース２０とを備えて構成される。ドレン溢水ケース部６２は、第１の実施形態と同様に水受ケース２０の図示しない貯水部内に下端部を位置させるようにしてホース差込筒部６３が上下方向に延出するよう設けられており、またホース差込筒部６３から離れた位置に水受ケース２０に連通する第２の排水口６４が形成されている。一方、ホース差込筒部６３の上部側中間部分の筒壁には、溢水口６５が形成されており、この溢水口６５と第２の排水口６４にはドレン溢水路を構成するホース６６の両端が接続されている。
【００２４】
このように構成されたものでは、上記の第１の実施形態と同様に、図示しない衣類乾燥機のドレンホースの先端部分をホース差込筒部６３の下端近傍にまでに差し込みドレン水の導入を行うと、ドレン水は貯水部に溜まり、水受ケース２０内を流下して図示しない第１の排水口から外部に排出される。また、リント等の異物によりホース差込筒部６３の下端部と貯水部の周壁との間隙部分が閉塞され、ドレン水が水受ケース２０から図示しない第１の排水口から排出されない状態になると、ドレンホースを通じて導入されたドレン水によってホース差込筒部６３内の水位が上昇する。その後、水位がホース差込筒部６３の溢水口６５にまで達するとドレン水は溢れ出し、ドレン溢水路を構成するホース６６内を流れ第２の排水口６４から下方の水受ケース２０に流れ落ちて外部に排出される。その結果、本実施形態においても第１の実施形態と同様の作用、効果を得ることができる。
【００２５】
【発明の効果】
以上の説明から明らかなように本発明によれば、ホース差込口から導入されたドレン水を適正に排出させることができると共に、異物等による排水経路の閉塞状態が生じてもトップカバー内等への浸水や床を濡らしたりする虞がなくなる。ことのない洗濯機を提供する
【図面の簡単な説明】
【図１】本発明の第１の実施形態の斜視図である。
【図２】本発明の第１の実施形態の上面図である。
【図３】本発明の第１の実施形態における蓋及び後部カバーを外した状態の上面図であある。
【図４】図２におけるＡ−Ａ矢方向視の要部の縦断面図である。
【図５】図４におけるＢ−Ｂ矢方向視の部分横断面図である。
【図６】本発明の第１の実施形態の変形形態に係る要部の斜視図である。
【図７】本発明の第２の実施形態に係る要部の縦断面図である。
【図８】本発明の第３の実施形態に係る要部の斜視図である。
【符号の説明】
２…外箱
４，５２…トップカバー
１１，５１，６１…ホース差込部
１４…水受槽
１８…ドレーンホース
１９，４１，５３，６２…ドレン溢水ケース部
２０…水受ケース
２６…第１の排水口
２７…外壁
２８…内壁
２９…貯水部
３１，６４…第２の排水口
３２，５６…壁リブ
３３，５４，６３…ホース差込筒部
３５，５５…上側筒
３６…下側筒
３７…下端部
３８…間隙
３９…切欠き
４０，４２，５７…ドレン溢水路
４３…中仕切リブ
６５…溢水口
６６…ホース
【図１】
0003544803.tif 000002
【図２】
0003544803.tif 000003
【図３】
0003544803.tif 000004
【図４】
0003544803.tif 000005
【図５】
0003544803.tif 000006
【図６】
0003544803.tif 000007
【図７】
0003544803.tif 000008
【図８】
0003544803.tif 000009